【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
一の面内に連続して配置された複数の立体構造を備え、
前記立体構造は、前記一の面内において配向性を有する液晶性高分子を含み、この液晶性高分子の配向性に応じた屈折率異方性を有すると共に、前記一の面内において形状異方性を有する
光学シート。
【請求項２】
前記立体構造は、前記一の面内の第１の方向に延在する柱形状となっており、
前記液晶性高分子の配向方向が前記立体構造の延在方向と平行となっている
請求項１に記載の光学シート。
【請求項３】
前記立体構造における第１の方向の屈折率が前記立体構造における、前記第１の方向と交差する方向の屈折率よりも大きくなっている
請求項２に記載の光学シート。
【請求項４】
前記立体構造における第１の方向の屈折率が前記立体構造における、前記第１の方向と交差する方向の屈折率よりも小さくなっている
請求項２に記載の光学シート。
【請求項５】
前記立体構造は、多角柱状のプリズム、または突状の曲面を含むレンチキュラーレンズである
請求項１ないし請求項４のいずれか一項に記載の光学シート。
【請求項６】
基材と、
前記基材上に形成された光学機能層と
を備え、
前記立体構造は、前記光学機能層の前記基材とは反対側の表面に形成され、
前記光学機能層のうち前記立体構造と前記基材との間の部分の厚さは、前記立体構造の高さの４０％以下となっている
請求項１に記載の光学シート。
【請求項７】
一の面内において形状異方性を有する複数の立体構造を前記一の面内に連続して配置してなる原盤と、前記原盤の立体構造と対向配置された光透過フィルムとの間に、液晶性モノマまたは液晶性プレポリマと光重合開始剤とを含む組成物を保持した状態で、前記組成物を、前記液晶性モノマまたは液晶性プレポリマの融点以上の温度で加熱すると共に押圧する第１工程と、
等方相への相転移温度よりも低い温度で組成物に対して紫外線を照射して、前記液晶性モノマまたは液晶性プレポリマを重合させたのち、前記光透過フィルムを前記原盤から剥離する第２工程と
を含む光学シートの製造方法。
【請求項８】
前記第１工程において、前記原盤の立体構造上および前記光透過フィルムの一の面上の少なくとも一方に前記組成物を配置したのち、前記組成物を、前記原盤と前記光透過フィルムとによって所定の圧力で挟み込むことにより、前記原盤と前記光透過フィルムとの間に前記組成物を保持する
請求項７に記載の光学シートの製造方法。
【請求項９】
前記第１工程において、前記原盤の立体構造に前記光透過フィルムを接触させたのち、前記原盤と前記透過フィルムとの隙間に前記組成物を挿入することにより、前記原盤と前記光透過フィルムとの間に前記組成物を所定の圧力で保持する
請求項７に記載の光学シートの製造方法。
【請求項１０】
前記原盤は、平板の一の面上に前記立体構造の形成されたものである
請求項７に記載の光学シートの製造方法。
【請求項１１】
前記原盤は、柱状の構造物の周面上に前記立体構造の形成されたものである
請求項７に記載の光学シートの製造方法。
【請求項１２】
画像信号に基づいて駆動される表示パネルと、
前記表示パネルを挟む一対の偏光子と、
前記表示パネルを照明する光源と、
前記偏光子と光源との間に設けられた光学シートと
を備え、
前記光学シートは、
一の面内に連続して配置された複数の立体構造を有し、
前記立体構造は、前記一の面内において配向性を有する液晶性高分子を含み、この液晶性高分子の配向性に応じた屈折率異方性を有すると共に、前記一の面内において形状異方性を有する
表示装置。
【請求項１３】
前記立体構造における屈折率の最も小さな方向が前記光源側の偏光子の光透過軸の方向と平行となっているか、または０度より大きく４５度より小さな範囲内で交差している
請求項１２に記載の表示装置。
【手続補正２】
【補正対象書類名】明細書
【補正対象項目名】０００９
【補正方法】変更
【補正の内容】
【０００９】
本発明はかかる問題点に鑑みてなされたもので、その第１の目的は、形状の崩れがほとんどない、屈折率異方性を有する立体構造を備えた光学シートおよびこれを備えた表示装置を提供することにある。また、第２の目的は、屈折率異方性を有する立体構造を精確に形成することの可能な光学シートの製造方法を提供することにある。
【手続補正３】
【補正対象書類名】明細書
【補正対象項目名】００１０
【補正方法】変更
【補正の内容】
【００１０】
本発明の光学シートは、一の面内に連続して配置された複数の立体構造を備えたものである。この立体構造は、一の面内において形状異方性を有している。また、この立体構造は、上記一の面内において配向性を有する液晶性高分子を含んでおり、この液晶性高分子の配向性に応じた屈折率異方性を有している。
【手続補正４】
【補正対象書類名】明細書
【補正対象項目名】００１２
【補正方法】変更
【補正の内容】
【００１２】
本発明の表示装置は、画像信号に基づいて駆動される表示パネルと、表示パネルを挟む一対の偏光子と、表示パネルを照明する光源と、偏光子と光源との間に設けられた上記光学シートとを備えている。
【手続補正５】
【補正対象書類名】明細書
【補正対象項目名】００１３
【補正方法】変更
【補正の内容】
【００１３】
本発明の光学シートおよびそれを備えた表示装置では、光学シートの一の面内において形状異方性を有する立体構造が、上記一の面内において配向性を有する液晶性高分子を含んで構成されており、この液晶性高分子の配向性に応じた屈折率異方性を有している。ここで、配向性を有する液晶性高分子は、例えば、一の面内において形状異方性を有する複数の立体構造を上記一の面内に連続して配置してなる原盤と、原盤の立体構造と対向配置された光透過フィルムとの間に、液晶性モノマまたは液晶性プレポリマと光重合開始剤とを含む組成物を保持した状態で、組成物を、液晶性モノマまたは液晶性プレポリマの融点以上の温度で加熱すると共に押圧したのち、等方相への相転移温度よりも低い温度で組成物に対して紫外線を照射して、液晶性モノマまたは液晶性プレポリマを重合させることにより形成可能なものである。また、延伸により液晶性高分子に配向性を持たせることはできないことから、本光学シートは延伸以外の方法で形成されたものと言える。
【手続補正６】
【補正対象書類名】明細書
【補正対象項目名】００１４
【補正方法】変更
【補正の内容】
【００１４】
本発明の光学シートの製造方法は、以下の２つの工程を含むものである。
（Ａ）一の面内において形状異方性を有する複数の立体構造を上記一の面内に連続して配置してなる原盤と、原盤の立体構造と対向配置された光透過フィルムとの間に、液晶性モノマまたは液晶性プレポリマと光重合開始剤とを含む組成物を保持した状態で、組成物を、液晶性モノマまたは液晶性プレポリマの融点以上の温度で加熱すると共に押圧する第１工程
（Ｂ）相転移温度よりも低い温度に冷却された後の組成物に対して紫外線を照射して、液晶性モノマまたは液晶性プレポリマを重合させたのち、光透過フィルムを原盤から剥離する第２工程
【手続補正７】
【補正対象書類名】明細書
【補正対象項目名】００２１
【補正方法】変更
【補正の内容】
【００２１】
ここで、透明基板は、一般に、可視光に対して透明な基板である。なお、照明装置３０側の透明基板には、透明画素電極に電気的に接続された駆動素子としてのＴＦＴ（Thin Film Transistor；薄膜トランジスタ）および配線などを含むアクティブ型の駆動回路が形成されている。カラーフィルタは、照明装置３０からの射出光を例えば、赤（Ｒ）、緑（Ｇ）および青（Ｂ）の三原色にそれぞれ色分離するためのカラーフィルタを配列して形成されている。透明電極は、例えばＩＴＯ（Indium Tin Oxide；酸化インジウムスズ）からなり、共通の対向電極として機能する。配向膜は、例えばポリイミドなどの高分子材料からなり、液晶に対して配向処理を行う。液晶層は、例えばＶＡ（VerticalAlignment）モード、ＴＮ（Twisted Nematic）モード、またはＳＴＮ（Super Twisted Nematic）モードの液晶からなり、図示しない駆動回路からの印加電圧により、照明装置３０からの射出光を画素ごとに透過または遮断する機能を有している。透明画素電極は、例えばＩＴＯからなり、画素ごとの電極として機能する。
【手続補正８】
【補正対象書類名】明細書
【補正対象項目名】００４２
【補正方法】変更
【補正の内容】
【００４２】
各凸部３３ａの延在方向と、各凸部３３ａの配列方向とで各凸部３３ａの屈折率が異なる（図３ではｎｘ＞ｎｙ）。そのため、輝度向上フィルム３３を含む面に対して斜め方向から入射した照明装置３０の光は、輝度向上フィルム３３の裏面において照明装置３０の光のＸ方向偏光成分ＬｘとＹ方向偏光成分Ｌｙとで異なる屈折角ｒｘ，ｒｙ（図３ではｒｘ＜ｒｙ）でそれぞれ屈折するとともに、異なる射出角φｘ，φｙ（図３ではφｘ＞φｙ）で輝度向上フィルム３３の表面（各凸部３３ａの光射出面）から射出する。
【手続補正９】
【補正対象書類名】明細書
【補正対象項目名】００６２
【補正方法】変更
【補正の内容】
【００６２】
第１偏光子２０Ａへ入射した光Ｌのうち、偏光軸ａと交差する偏光成分（図９ではＬｘ）が第１偏光子２０Ａで吸収され、偏光軸ａと平行な偏光成分（図９ではＬｙ）が第１偏光子２０Ａを透過する。第１偏光子２０Ａを透過したＬｙは、液晶表示パネル１０において画素単位で偏光制御がなされて第２偏光子２０Ｂへ入射し、第２偏光子２０Ｂの偏光軸ｂの偏光のみが透過してパネル正面に画像を形成する。このようにして、表示装置１において画像が表示される。